(57)【特許請求の範囲】
【請求項１】
患者の耳の鼓膜の温度を非接触で測定する赤外線センサを有し、前記耳の耳穴に装着されるプローブと、
前記赤外線センサに接続され、前記プローブから導き出されている信号ケーブルとを備え、
前記プローブには、前記プローブを前記耳の耳珠の内側に入れる際に把持する把持部が設けられ、
前記把持部は、前記信号ケーブルを湾曲させた状態に保持して前記信号ケーブルの湾曲部を前記耳の耳甲介腔部内に這わすための溝部分を有することを特徴とする体温計。
【請求項２】
前記溝部分は、前記信号ケーブルの一部分を挟み込んで保持することを特徴とする請求項１に記載の体温計。
【請求項３】
前記把持部は、第１突出部分と、前記第１突出部分に向かい合って形成された第２突出部分とを有し、前記第１突出部分と前記第２突出部分の間には、前記溝部分が形成されていることを特徴とする請求項１または２に記載の体温計。
【請求項４】
前記溝部分は、前記信号ケーブルの一部分を円弧形状またはＶ字形状に曲げて保持することを特徴とする請求項１ないし３のいずれかに記載の体温計。
【発明の詳細な説明】
【技術分野】
【０００１】
本発明は、例えば手術室や集中治療室等での施術中における患者の体温管理の指標として、非接触で連続して体温を測定することができる連続測定型の耳装着式の体温計に関する。
【背景技術】
【０００２】
手術室や集中治療室等では、施術中の患者の体温測定は必須である。患者の体温の測定は、長時間にわたり連続して測定する必要がある。患者の体温の測定には、患者への負担が少ないことも必要である。
【０００３】
このような要求に応える体温計としては、プローブを患者の耳穴に挿入して鼓膜の温度を測定する耳式の体温計が、特許文献１に開示されている。
【先行技術文献】
【特許文献】
【０００４】
【特許文献１】特開２０１０−１４５１３１号公報
【発明の概要】
【発明が解決しようとする課題】
【０００５】
ところで、従来の耳式の体温計は、プローブの先端に赤外線センサが配置されている。この赤外線センサは、正しい体温の値を取得するために、鼓膜に向くようにして鼓膜とその周辺組織からの赤外線量が得られるように、耳穴に装着しなければならない。
【０００６】
耳式の体温計のプローブの形状は、大人の左右の耳の耳穴の形状に合わせるために、左右別々になっている。これは、大人の左右の耳穴の外耳道が、別々の左右対称の曲り形状を有しているからである。プローブの形状は、大人の左右の耳穴の異なる２つの左右対称の曲り形状に対応するように、左右の体温計のプローブは、ミラー形状（左右対称形状）にする必要がある。
【０００７】
しかも、大人用の体温計のプローブを耳穴の外耳道に挿入して装着する時には、プローブの方向を限定できるように軸が設けられており、この軸が「耳珠」と「耳介」の間に通ると、プローブは正しい位置に装着されたことになる。また、このようにプローブは、軸を有する構造とすることで、プローブが正しい位置に装着されたことを視覚的に確認できる。
【０００８】
一方、子供の耳穴のサイズは、大人の耳穴のサイズに比べて小さく、しかも子供の耳穴の外耳道の曲り形状は、大人の耳穴の外耳道の曲り形状に比べて小さい。このため、現状用いられている大人用の耳式の体温計のプローブは、子供（例えば４才から１２才）の耳穴の外耳道には、挿入して装着することはできない。
【０００９】
本発明は、上記に鑑みてなされたもので、その目的とするところは、子供の耳の耳穴に、容易にしかも確実に装着して、外れないように安定した状態で連続して体温の測定が可能な体温計を提供することにある。
【課題を解決するための手段】
【００１０】
上記課題を達成するため、請求項１に記載の体温計は、患者の耳の鼓膜の温度を非接触で測定する赤外線センサを有し、前記耳の耳穴に装着されるプローブと、前記赤外線センサに接続され、前記プローブから導き出されている信号ケーブルとを備え、前記プローブには、前記プローブを前記耳の耳珠の内側に入れる際に把持する把持部が設けられ、前記把持部は、前記信号ケーブルを湾曲させた状態に保持して前記信号ケーブルの湾曲部を前記耳の耳甲介腔部内に這わすための溝部分を有することを特徴とする。
【００１１】
請求項１に記載の体温計では、手技者は、把持部を用いてプローブを耳穴に装着することができる。しかも、信号ケーブルは、把持部の溝部分により保持することで、信号ケーブルの湾曲部は、耳の耳甲介腔部内には這わせて、プローブは、信号ケーブルとともに耳に保持することができる。従って、体温計は、子供の耳の耳穴に、容易にしかも確実に装着して、外れないように安定した状態で連続して体温の測定が可能である。
【００１２】
請求項２に記載の体温計では、前記溝部分は、前記信号ケーブルの一部分を挟み込んで保持することを特徴とする。
【００１３】
請求項２に記載の体温計では、信号ケーブルは、溝部分に挟み込んで保持するだけで、信号ケーブルを湾曲させた状態で簡単に耳の耳甲介腔部内に這わすことができる。
【００１４】
請求項３に記載の体温計では、前記把持部は、第１突出部分と、前記第１突出部分に向かい合って形成された第２突出部分とを有し、前記第１突出部分と前記第２突出部分の間には、前記溝部分が形成されていることを特徴とする。
【００１５】
請求項３に記載の体温計では、把持部の溝部分は、第１突出部分と第２突出部分により形成されているだけであり、簡単な構造でありながら、第１突出部分と第２突出部分は、信号ケーブルを保持し、しかも手技者が第１突出部分と第２突出部分を指で把持できる。
【００１６】
請求項４に記載の体温計では、前記溝部分は、前記信号ケーブルの一部分を円弧形状またはＶ字形状に曲げて保持することを特徴とする。
【００１７】
請求項４に記載の体温計では、溝部分は、円弧形状またはＶ字形状に形成するだけで、簡単な構造でありながら、第１突出部分と第２突出部分は、信号ケーブルを保持し、しかも手技者が第１突出部分と第２突出部分を指で把持できる。
【発明の効果】
【００１８】
本発明によれば、子供の耳の耳穴に、容易にしかも確実に装着して、外れないように安定した状態で連続して体温の測定が可能な体温計を提供できる。
【図面の簡単な説明】
【００１９】
【図１】本発明の第１実施形態の体温計を、患者の耳に装着した状態を示す図である。
【図２】図１に示す体温計１を患者の耳に装着した状態を示す側面図である。
【図３】図１と図２に示す体温計を示す斜視図である。
【図４】図３に示す体温計をＭ方向から見た側面図である。
【図５】図３に示す体温計をＮ方向から見た斜視図である。
【図６】図３に示す体温計において、信号ケーブルをループ状に湾曲させた状態で保持している様子を示す斜視図である。
【図７】本発明の第２実施形態を示す図である。
【図８】本発明の第３実施形態を示す図である。
【発明を実施するための形態】
【００２０】
以下、図面を用いて、本発明を実施するための形態(以下、実施形態と称する)を説明する。
【００２１】
＜第１実施形態＞
図１は、本発明の第１実施形態の体温計を、患者の耳に装着した状態を示す図である。図２は、図１に示す体温計１を患者の耳に装着した状態を示す側面図である。
【００２２】
図１と図２に示している耳１００は、患者の右耳である。図１では、矢印を用いて、人体の上方向ＵＰ、下方向ＤＮ、右方向ＲＤ、そして左方向ＬＤを示している。左耳の構造と右耳の構造とは、対称な構造を有する。
【００２３】
図１と図２に示す体温計１は、患者の体温を連続して非接触で測定可能な連続測定型の耳式の体温計である。この体温計１は、赤外線センサ１０を有しており、体温計１を耳１００の耳穴である外耳道１０４に装着する。赤外線センサ１０は、患者の耳１００の内部の鼓膜１０５およびその周辺組織からの赤外線量を非接触で測定する。
【００２４】
この体温計１は、手術室における手術時や、集中治療室における体調管理時等で、患者の体温管理の指標として、非接触で連続して患者の体温を測定する。体温計１は、好ましくは子供（例えば４才から１２才）の患者の体温管理に用いられる。この体温計１は、患者の右側の耳１００と、右側の耳１００とは対称な構造を有する左側の耳の両方に共通して、用いることができる構造を有している。
【００２５】
まず、体温計１の構造を説明する前に、図１を参照して耳１００の構造を、簡単に説明する。
【００２６】
図１に示すように、耳１００は、外耳１０１と、中耳１０２と、内耳１０３に区分できる。外耳１０１には耳穴である外耳道１０４があり、外耳１０１と中耳１０２の境界には鼓膜１０５がある。また、外耳１０１には、図１と図２に示す耳介１０６と、耳垂１０７と、耳珠１０８があり、耳介１０６の中央には、耳甲介腔部１０９がある。
【００２７】
次に、図３ないし図６を参照して、体温計１の好ましい構造例を説明する。
【００２８】
図３は、図１と図２に示す体温計１を示す斜視図である。図４は、図３に示す体温計１をＭ方向から見た側面図である。
【００２９】
図５は、図３に示す体温計１をＮ方向から見た斜視図である。図６は、図３に示す体温計１において、信号ケーブル２０をループ状に湾曲させた状態で保持している様子を示す斜視図である。
【００３０】
図３と図５に示すように、体温計１は、プローブ２と、イヤーパッド３と、信号ケーブル２０を有する。プローブ２は、本体部４と、この本体部４に突出して設けられた挿入部５と、この挿入部５に取付けられた赤外線センサ１０を有している。イヤーパッド３は、挿入部５と赤外線センサ１０を覆っている。イヤーパッド３の先端部には、赤外線を通すために円形の開口部３Ｐが設けられている。この円形の開口部３Ｐは、赤外線センサ１０に対応して位置である。
【００３１】
図３に示す赤外線センサ１０は、信号ケーブル２０の一端部に電気的に接続されている。図１に示すように、信号ケーブル２０の他端部は、コントローラ（制御部）２００に電気的に接続されている。このコントローラ２００は、モニタ２５０に電気的に接続されており、このモニタ２５０はバイタルモニタであり、モニタ２５０としては、例えば液晶表示装置を採用できる。
【００３２】
これにより、図１に示す鼓膜１０５およびその周辺組織から放射される赤外線が、プローブ２のイヤーパッド３の開口部３Ｐを通過して、赤外線センサ１０に到達する。すると、赤外線センサ１０は、鼓膜１０５およびその周辺組織から放射される赤外線量に応じた検知信号ＳＳを、信号ケーブル２０を通じて、コントローラ２００に送る。
【００３３】
このコントローラ２００は、赤外線センサ１０に入射した赤外線量に対応する検知信号ＳＳに基づいて、温度に換算して、患者の体温値とする。モニタ２５０は、コントローラ２００からの指令により、好ましくは患者の各種のバイタル値とともに患者の体温値を表示する。
【００３４】
図１と図２に示す体温計１とコントローラ２００とモニタ２５０は、耳体温検知装置３００を構成している。この耳体温検知装置３００は、手術室における手術時や、集中治療室における体調管理時等で、非接触で連続して体温を測定するために、手術室や集中治療室等に置くことができる。
【００３５】
各部の材質例について説明する。図５に示すプローブ２は、好ましくはプラスチック製であり、例えばＡＢＳ樹脂（アクリロニトリルブタジエンスチレン）により作られている。
【００３６】
イヤーパッド３は、プローブ２の挿入部５を覆っている筒状のプローブカバーである。このイヤーパッド３は、耳１００に優しい柔らかい材質、例えばシリコーンにより作られている。
【００３７】
信号ケーブル２０の被覆材の材質は、耳に優しく柔軟性のある材質、例えばＰＶＣ（ポリ塩化ビニル）であり、図１と図２に示すように、信号ケーブル２０は、耳甲介腔部１０９内において、湾曲部２０Ｒをループ状に無理なく形成させることができる。
【００３８】
次に、図３から図６を参照して、体温計１の構造を詳しく説明する。
【００３９】
図３と図５に示すように、体温計１のプローブ２の本体部４は、第１部材６と第２部材７を組み合わせて作られている。第１部材６は、膨らんだ形状であり、例えば卵の殻を縦に半割したような部材である。
【００４０】
第１部材６の外形形状は、図４に示すように、第１円弧部分６Ａと、２つの第２円弧部分６Ｂ、６Ｃと、第３円弧部分６Ｄを有する。第２部材７は、この第１部材６に合わせた外形形状を有しており、比較的平坦な部材である。第２部材７からは、円柱状の挿入部５が突出して形成されている。
【００４１】
図４に示すように、プローブ２の本体部４は、外面部にケーブル保持部３０を有している。このケーブル保持部３０をも含めた本体部４は、子供の左右の耳のいずれにも共通して装着できるようにするために、長手方向の中心線ＣＬに関して左右対称形状になっている。
【００４２】
これにより、プローブ２は、子供の左側の耳であっても、子供の右側の耳１００であっても、はめ込んで装着可能であり、プローブ２は、子供の左右の耳に対して、共通して装着できる形状を有している。
【００４３】
本体部４を含むプローブ２は、図１に示すように、外耳道１０４の入口付近に挿入して装着でき、しかも本体部４を含むプローブ２は、図２に示すように、耳珠１０８の内側に収めることができる。しかし、図１に示すようにプローブ２を装着した状態では、ケーブル保持部３０は、外耳道１０４の外側において突出している。
【００４４】
図５に示すように、第１部材６の第４円弧部分６Ｄは、信号ケーブル２０を本体部４の外部へ導き出すための開口部６Ｅを有する。信号ケーブル２０の一端部は、赤外線センサ１０に電気的に接続されて、本体部４の中を通り、開口部６Ｅから本体部４の外側に導き出されている。
【００４５】
図３と図４に示すように、本体部４は、ケーブル保持部３０を有する。このケーブル保持部３０は、本体部４の第１部材６から突出して設けられている。図３に示すように、プローブ２の本体部４と挿入部５を通る軸を中心軸Ｌとすると、このケーブル保持部３０は、この中心軸Ｌに沿って、しかも挿入部５とは反対の方向に突出して設けられている。この中心軸Ｌは、長手方向の中心線ＣＬと交差している。
【００４６】
図３と図４に示すケーブル保持部３０は、図２に示すように、信号ケーブル２０の一部分２０Ａを挟み込んで保持するための溝部分４０を有する。図３と図４に示すように、ケーブル保持部３０は、第１突出部分３１と、第１突出部分３１に向かい合って形成された第２突出部分３２とを有する。第１突出部分３１と第２突出部分３２の間には、溝部分４０が形成されている。
【００４７】
しかも、図４に例示するように、第１突出部分３１と第２突出部分３２は、好ましくは円弧形状に形成されている。図４に示すように、この溝部分４０は、ＣＬＡ方向に向けて膨らむようにして湾曲して形成されている。
【００４８】
図４に示す溝部分４０の溝幅Ｗは、この第１突出部分３１と第２突出部分３２の長さ方向に沿って一定である。このように、第１突出部分３１と第２突出部分３２は、円弧形状に形成されており、溝部分４０の溝幅Ｗはどこの部分でも一定である。
【００４９】
図２と図６に示すように、信号ケーブル２０の一部分２０Ａは、この溝部分４０に挟み込んで保持する。これにより、図２と図１に示すように、信号ケーブル２０の部分をループ状の湾曲部２０Ｐに形成できる。この湾曲部２０Ｐは、耳１００の耳甲介腔部１０９内において、耳甲介腔部１０９の形状に沿って這わすようにして収容させることができる。
【００５０】
しかも、この第１突出部分３１と第２突出部分３２から成るケーブル保持部３０は、図３と図４に示すように、手技者が例えば親指Ｆ１と人差し指Ｆ２で挟んで保持するための「ツマミ」としての把持部４５としても機能する。すなわち、ケーブル保持部３０の機能は、把持部４５の機能と兼用している。
【００５１】
これにより、図３と図４に示すように、手技者は、第１突出部分３１と第２突出部分３２のそれぞれの外側面を、親指Ｆ１と人差し指Ｆ２で挟んで保持できる。
【００５２】
第１突出部分３１と第２突出部分３２のそれぞれの外側面を、親指Ｆ１と人差し指Ｆ２で挟んで保持することで、図１に示すように、手技者は、プローブ２を外耳道１０４内に、容易にしかも確実に挿入して装着することができる。このように装着した場合には、赤外線センサ１０は、鼓膜１０５から離れた位置で、対面して位置決めされる。
【００５３】
次に、上述した体温計１の使用例を説明する。
【００５４】
図１に示す体温計１とコントローラ２００とモニタ２５０から成る耳体温検知装置３００は、手術室における手術時や、集中治療室における体調管理時等で、子供の患者の体温を非接触で連続して非侵襲で測定するために、手術室や集中治療室等に置かれる。
【００５５】
例えば、手技者は、予め、図６に示すように、信号ケーブル２０の湾曲部２０Ｒで示すように、信号ケーブル２０をループ状に曲げながら、信号ケーブル２０の一部分２０Ａを、第１突出部分３１と第２突出部分３２の間の溝部分４０に沿うようにして挟み込んでおく。
【００５６】
手技者は、図３に示すように、図２に示すように、プローブ２のケーブル保持部３０を把持部４５として用いて、例えば親指Ｆ１と人差し指Ｆ２で把持部４５の第１突出部分３１と第２突出部分３２を挟んで持つ。そして、手技者は、図１に示すように、イヤーパッド３を外耳道１０４内に挿入するようにして、プローブ２の本体部４を、図２に示すように、耳珠１０８の内側に収める。
【００５７】
このように、手技者は、把持部４５を持ってプローブ２の本体部４を耳珠１０８の内側に収めて装着することができ、この装着操作を容易にしかも確実に行うことができる。本体部４を耳珠１０８の内側に収めて装着すると、赤外線センサ１０は、鼓膜１０５に対して間隔をおいて対面するようにして配置される。
【００５８】
この際に、手技者は、図２に示すように、信号ケーブル２０を、溝部分４０に沿ってＧ方向にわずかにスライドさせることにより、信号ケーブル２０の湾曲部２０Ｒの大きさは、耳甲介腔部１０９のサイズに合わせて調整することができる。これにより、信号ケーブル２０の湾曲部２０Ｒは、耳甲介腔部１０９内に収まって耳甲介腔部１０９内に保持できる。
【００５９】
図４に示すように、この溝部分４０は、ＣＬＡ方向に向けて膨らむようにして湾曲して形成されている。従って、溝部分４０は、信号ケーブル２０の一部分２０Ａを曲げて保持して、信号ケーブル２０の一部分２０Ａは、溝部分４０により少し円弧形状に、強制的に曲げられている。このため、信号ケーブル２０の一部分２０Ａは、溝部分４０からは容易には外れない。
【００６０】
しかも、図６に示すように、円弧形状に曲げられている溝部分４０の効果により、信号ケーブル２０の別の一部分２０Ｓと、一部分２０Ａに力を加えることで、湾曲部２０Ｒは、ほぼ円形状に形成することができる。このため、信号ケーブル２０の湾曲部２０Ｒは、耳甲介腔部１０９の形状に合わせることができる。
【００６１】
このようにして、信号ケーブル２０の湾曲部２０Ｒは、耳１００の耳甲介腔部１０９内において、個々の子供の患者の耳甲介腔部１０９の形状や大きさに這わすようにして収容することができる。
【００６２】
これにより、体温計１が外耳道１０４から外れたり、ずれたりすることが無くなる。体温計１の赤外線センサ１０は、手術室における手術時や、集中治療室における体調管理時等で、長時間安定して鼓膜１０５およびその周辺組織からの赤外線量の検知を実施することができる。
【００６３】
なお、図１と図２に示すように、プローブ２の本体部４が耳珠１０８の下側（内側）に入って、信号ケーブル２０の湾曲部２０Ｒが正しく耳甲介腔部１０９に装着できるようにするために、手技者は、把持部４５を持ってプローブ２の位置を調整することができる。
【００６４】
通常の大人用の耳式体温計のプローブの形状には、左右の別がある。このようにプローブの形状に左右の別があるのは、プローブ先端にある赤外線センサが鼓膜に向くようにプローブを装着して正しい温度を取得できなければならないためである。そのために、大人用の耳式体温計のプローブとしては、左右の耳の外耳道の２つの異なる曲り形状に対応することができる２つの異なる形状のものを用意する必要がある。つまり、左右の耳では、プローブ形状がミラー形状になるために、プローブ形状には左右の別が必要である。
【００６５】
大人用の体温計は、耳穴に装着時にプローブの方向を限定できるように軸を設けて、「耳珠」と「耳介」の間に、この軸が通ると、体温計のプローブは正しい位置に装着されたことになり、この正しい位置に装着されたことが視覚的に確認できる構造である。
【００６６】
これに対して、患者が子供（例えば４才から１２才）であると、患者が大人である場合とは異なり、大人に比べて耳穴が小さいことから耳穴の曲り形状の程度は小さい。子供用のプローブ２の本体部４には、図２の耳珠１０８の下側（内側）に入れて装着する時のガイドとなる軸はない。
【００６７】
このため、子供用の体温計１のプローブ２では、プローブ２が正しい位置に装着できているかどうかを視覚的に分かるように示すことと、プローブ２から出る信号ケーブル２０を耳１００においてうまく引回しの処理ができることと、そして体温計１を耳１００に安定して保持することが、必要である。
【００６８】
子供の耳穴の曲り形状の程度は、大人の耳穴の曲り形状の程度に比べて小さく、本発明の第１実施形態の体温計１のプローブ２は、大人用のプローブに比べて小型である。子供の左右の耳の外耳道は１つの同じ曲り形状であるとして、体温計１のプローブ２は、１つの曲り形状に対応できれば、プローブ２の赤外線センサ１０は、図１に示す鼓膜１０５の方向に十分に向けることができる。このため、プローブ２の形状は、左右の耳に対する区別を必要とせずに、体温計１のプローブ２は、１つの形状のものを共通化して用意すればよい。
【００６９】
ただし、図１に示す子供用の体温計１のプローブ２の形状を左右共通化することで、子供用の体温計１のプローブ２を外耳道１０４に装着する方向を明確化できる軸を設けることが容易ではなくなる。体温計１は、好ましくは使い捨ての単回使用品である。
【００７０】
そこで、本発明者らは、体温計１はより簡単な形状であっても、体温計１のプローブ２を外耳道１０４に、視覚で確認しながら容易にしかも確実に装着できないかを考察した。この結果として、上述したように、図３に例示するように、手技者が例えば親指Ｆ１と人差し指Ｆ２で第１突出部分３１と第２突出部分３２から成るケーブル保持部３０を、挟んで保持して、プローブ２を外耳道１０４内に装着するための「ツマミ」としての把持部４５としても機能させている。
【００７１】
なお、本発明者らは、子供用の体温計のプローブの形状については、左右の耳の構造に対応して左右に倒れる軸を作ることも考えられる。しかし、子供用の体温計のプローブの容積が小さいので、構造的に無理が生じることと、製造方法が複雑になり、コスト上昇の要因となってしまうおそれがある。このため、プローブの形状については、左右に倒れる軸を作ることは、採用していない。
【００７２】
そこで、プローブ２の本体部４が耳珠１０８の下に入り、体温計１が正しく動かないように安定して耳甲介腔部１０９に装着できるようにするために、手技者は、指で挟んで把持部４５を持つことにより、体温計１は、装着時にガイドとなる軸がなくても、体温計１のプローブ２を正しい装着位置に、視覚的に確認しながら簡単にしかも確実に装着することができる。
【００７３】
具体的には、手技者が、プローブ２を正しい位置の装着できているかどうかを、視覚的に確認できるようにするために、図２に示すように、信号ケーブル２０の湾曲部２０Ｒが、「耳珠１０８」と「耳介１０６」の間の「耳甲介腔部１０９」内を通ることが、正しいプローブ２の装着位置となる。しかも、図２に示すように、把持部４５は、プローブ２の装着時に、円形の破線領域ＲＲで示すように、信号ケーブル２０が「耳珠１０８」と「耳介１０６」の間に向かうように、若干顔前側に角度θをつけることを行う。
【００７４】
このようにして、左右の耳１００に対応して体温計１を、正しい位置に装着するために、すでに説明したように、ケーブル保持部３０を兼ねる把持部４５の溝部分４０は、円弧形状に形成されている。信号ケーブル２０の一部分２０Ａが、このケーブル保持部３０の溝部分４０内にはめ込んで保持されると、信号ケーブル２０はケーブル保持部３０から抜けない。従って、プローブ２は、子供の耳に長時間にわたって安定して装着できる。
【００７５】
このようにして、手技者には、体温計１のプローブ２が正しい位置に装着できているかどうかを視覚的に示すことができる。
【００７６】
また、プローブ２０の位置が装着時にずれが生じると、得られる体温の値が変わったり、体温の値に変動を起こす要因となる。このため、信号ケーブル２０はケーブル保持部３０から抜けず、プローブ２は長時間にわたって安定して装着できる必要がある。
【００７７】
信号ケーブル２０が、強い力で引かれることに対する抜け止め対策としては、図２に示すように、信号ケーブル２０の途中部分は、貼り付けのための医科用のテープＴＰにより、患者の顔に貼り付けて保持しておく。これにより、信号ケーブル２０は、強い力が加わっても、ケーブル保持部３０からは抜けず、しかもプローブ２が耳１００から抜けてしまうのを防止することができる。
【００７８】
一方、患者の小さな動きや体位を変える等で、プローブ２が耳１００においてズレたり外れたりすることを無くすために、信号ケーブル２０のループ状の湾曲部２０Ｒを、耳甲介腔部１０９のサイズと形状に合わせて耳甲介腔部１０９内に這わすようにして収める。しかも、信号ケーブル２０の一部分２０Ａを、第１突出部分３１と第２突出部分３２の間の溝部分４０に挟み込む。これにより、患者の小さな動きや体位を変えることがあっても、プローブ２がズレたり外れたりすることを防げ、体温計１は耳１００において安定して保持できる。
【００７９】
このようにして、プローブ２から出る信号ケーブル２０を耳１００においてうまく引回しの処理ができ、しかも体温計１を耳１００に安定して保持することができる。
【００８０】
図２に示す第１突出部分３１と第２突出部分３２の間の溝部分４０内に、信号ケーブル２０の一部分２０Ａを挟み込んで保持するが、この信号ケーブル２０を挟み込んで止める位置は、信号ケーブル２０の長手方向Ｇに沿って任意にスライド調整できる。このため、手技者は、信号ケーブル２０のループ状の湾曲部２０Ｒの大きさは、患者の耳甲介腔部１０９の大きさに合わせて、調整することができる。
【００８１】
上述した本発明の第１実施形態の体温計１は、患者の耳１００の鼓膜１０５の温度を非接触で測定する赤外線センサ１０を有し、耳穴に装着されるプローブ２と、赤外線センサ１０に接続され、プローブ２から導き出されている信号ケーブル２０を備える。
【００８２】
プローブ２には、プローブ２を耳１００の耳珠１０８の内側に入れる際に把持する把持部４５が設けられている。把持部４５は、信号ケーブル２０を湾曲させた状態に保持して信号ケーブル２０の湾曲部２０Ｒを耳１００の耳甲介腔部１０９内に這わすための溝部分４０を有する。
【００８３】
これにより、手技者は、把持部４５を用いてプローブ２を耳穴に装着することができる。しかも、信号ケーブル２０は、把持部４５の溝部分４０により保持することで、信号ケーブル２０の湾曲部２０Ｒは、耳１００の耳甲介腔部１０９内には這わせて、プローブ２は、信号ケーブル２０とともに耳１００に保持することができる。
【００８４】
従って、体温計１は、子供の耳１００の耳穴に、容易にしかも確実に装着して、外れないように安定した状態で連続して体温の測定が可能である。
【００８５】
次に、本発明の他の実施形態を説明するが、他の実施形態の箇所が、本発明の第１実施形態の対応する箇所と同様である場合には、同じ符号を記して、その説明を省略する。
【００８６】
＜第２実施形態＞
図７は、本発明の第２実施形態を示している。
【００８７】
図４に示す本発明の第１実施形態では、把持部４５を兼ねるケーブル保持部３０の溝部分４０は、円弧形状に形成されている。
【００８８】
これに対して、図７に示す体温計１Ａでは、把持部４５を兼ねるケーブル保持部３０は、Ｖ字形状に形成された第１突出部分３１Ａと、第２突出部分３２Ａを有している。このため、第１突出部分３１Ａと第２突出部分３２Ａの間の溝部分４０Ａは、Ｖ字形状になっている。
【００８９】
これにより、図２に示す場合と同様にして、信号ケーブル２０の一部分２０Ａは、この溝部分４０Ａに挟み込んで保持することで、信号ケーブル２０を耳１００の耳甲介腔部１０９内には這わすようにして収容させることができる。
【００９０】
＜第３実施形態＞
図８は、本発明の第３実施形態を示している。
【００９１】
図８に示す体温計１Ａでは、把持部４５を兼ねるケーブル保持部３０は、直線状に形成された第１突出部分３１Ｂと、第２突出部分３２Ｂを有している。このため、第１突出部分３１Ｂと第２突出部分３２Ｂの間の溝部分４０Ｂは、直線状になっている。しかし、この第２突出部分３２Ｂの内側には、突起３９が設けられている。
【００９２】
これにより、図２に示す場合と同様にして、信号ケーブル２０の一部分２０Ａは、この溝部分４０Ｂに挟み込んで突起３９を超えて押し込むことで、信号ケーブル２０を耳１００の耳甲介腔部１０９内には這わすようにして収容させることができる。
【００９３】
本発明の実施形態の体温計１は、患者の耳１００の鼓膜１０５の温度を非接触で測定する赤外線センサ１０を有し、耳穴に装着されるプローブ２と、赤外線センサ１０に接続され、プローブ２から導き出されている信号ケーブル２０と備え、プローブ２には、プローブ２を耳１００の耳珠１０８の内側に入れる際に把持する把持部４５が設けられ、把持部４５は、信号ケーブル２０を湾曲させた状態に保持して信号ケーブル２０の湾曲部２０Ｒを耳１００の耳甲介腔部１０９内に這わすための溝部分４０を有する。
【００９４】
これにより、手技者は、把持部４５を用いてプローブ２を耳穴に装着することができる。しかも、信号ケーブル２０は、把持部４５の溝部分４０により保持することで、信号ケーブル２０の湾曲部２０Ｒは、耳１００の耳甲介腔部１０９内には這わせて、プローブ２は、信号ケーブル２０とともに耳１００に保持することができる。
【００９５】
従って、体温計１は、子供の耳１００の耳穴に、容易にしかも確実に装着して、外れないように安定した状態で連続して体温の測定が可能である。
【００９６】
把持部４５は、信号ケーブル２０の一部分２０Ａを挟み込んで保持するための溝部分４０を有する。これにより、信号ケーブル２０は、溝部分４０に挟み込んで保持するだけで、信号ケーブル２０を湾曲させた状態で簡単にしかも確実に、耳の耳甲介腔部１０９内に這わすことができる。
【００９７】
把持部４５は、第１突出部分３１と、第１突出部分３１に向かい合って形成された第２突出部分３２とを有し、第１突出部分３１と第２突出部分３２の間には、溝部分４０が形成されている。これにより、溝部分４０は、第１突出部分３１と第２突出部分３２により形成されているだけであり、簡単な構造でありながら、第１突出部分３１と第２突出部分３２は、信号ケーブル２０を保持し、しかも手技者は、第１突出部分３１と第２突出部分３２を指で把持できる。
【００９８】
溝部分４０は、信号ケーブル２０の一部分２０Ａを円弧形状またはＶ字形状に曲げて保持する。これにより、溝部分４０は、円弧形状またはＶ字形状に形成するだけで、簡単な構造でありながら、第１突出部分３１と第２突出部分３２は、信号ケーブル２０を保持し、しかも手技者は、第１突出部分３１と第２突出部分３２を指で把持できる。
【００９９】
以上、実施形態を挙げて本発明を説明したが、各実施形態は一例であり、特許請求の範囲に記載される発明の範囲は、発明の要旨を逸脱しない範囲内で種々変更できるものである。本発明の各実施形態は、任意に組み合わせることができる。
【０１００】
例えば、プローブ２の形状は、図示例に限定されず、他の形状であっても良い。
【０１０１】
把持部４５（ケーブル保持部３０）の第１突出部分３１と第２突出部分３２のそれぞれの外面には、指で持った際に滑り難くするために、滑り止めの凹凸部分を形成しても良い。
【符号の説明】
【０１０２】
１      体温計
２      プローブ
３      イヤーパッド
４      本体部
５      挿入部
１０    赤外線センサ
２０    信号ケーブル
２０Ｒ  信号ケーブルのループ状の湾曲部
３０    ケーブル保持部
３１    第１突出部分
３２    第２突出部分
４０    溝部分
４５    把持部
１０１  外耳
１０５  鼓膜
１０６  耳介
１０７  耳垂
１０８  耳珠
１０９  耳甲介腔部
２００  コントローラ
２５０  モニタ
３００  耳体温検知装置
【図１】
0006503237.tif 000002
【図２】
0006503237.tif 000003
【図３】
0006503237.tif 000004
【図４】
0006503237.tif 000005
【図５】
0006503237.tif 000006
【図６】
0006503237.tif 000007
【図７】
0006503237.tif 000008
【図８】
0006503237.tif 000009